(57)【要約】【課題】ファインダ内部に特別な移動機構を設けることなく、ケラレを防止して、良好な画像の視認状態を実現すること。【解決手段】ファインダ部２に電子画像を表示する画像表示部２３が設けられ、そこに表示される画像を、ファインダ窓を介して視認できるように構成されている。測距センサ２１はファインダ窓を視認するユーザとファインダ窓との距離を測定し、その結果得られる距離に応じて倍率決定部８２が画像表示部２３における表示画像の縮小率を決定する。そして縮小画像が画像表示部２３に表示される。また、視線検知センサ２２がファインダ窓２０を覗くユーザの視線方向を検知し、ユーザが視認している部分画像が画像表示部２３の画面中央にトリミング表示される。【選択図】        図２
2004215062.tif 000002
【特許請求の範囲】
【請求項１】
ファインダ窓の内側に設けられ、前記ファインダ窓を介して視認することの可能な電子画像を表示する画像表示手段と、
前記画像表示手段における画像の縮小率を設定する縮小率設定手段と、
前記縮小率に基づいて前記画像表示手段における表示倍率を制御する制御手段と、
を備える撮像装置。
【請求項２】
請求項１に記載の撮像装置において、
前記ファインダ窓を視認するユーザと前記ファインダ窓との距離を測定する測距手段をさらに備え、
前記縮小率設定手段は、前記測距手段において測定される距離に応じて前記縮小率を決定することを特徴とする撮像装置。
【請求項３】
ファインダ窓の内側に設けられ、前記ファインダ窓を介して視認することの可能な電子画像を表示する画像表示手段と、
前記ファインダ窓を覗くユーザの視線方向を検出する視線方向検出手段と、
前記視線方向に基づいてユーザが視認している部分画像を抽出し、当該部分画像を前記画像表示手段の画面内においてトリミング表示させる制御手段と、
を備える撮像装置。
【請求項４】
請求項３に記載の撮像装置において、
前記制御手段は、前記画像表示手段において画面周縁部に位置する部分画像を画面中央部にトリミング表示させることを特徴とする撮像装置。
【請求項５】
請求項３又は４に記載の撮像装置において、
前記ファインダ窓を視認するユーザと前記ファインダ窓との距離を測定する測距手段と、
前記測距手段において測定される距離に応じて、前記画像表示手段における画像の縮小率を決定する縮小率設定手段と、
をさらに備え、
前記制御手段は、さらに、前記縮小率に基づいて前記画像表示手段における表示倍率を制御することを特徴とする撮像装置。
【発明の詳細な説明】
【０００１】
【発明の属する技術分野】
本発明は、デジタルカメラ等の撮像装置に関し、特に、ファインダ窓を介して電子画像を視認可能なように構成された撮像装置に関する。
【０００２】
【従来の技術】
ファインダ窓を介して電子画像を表示するように構成された、いわゆる電子ビューファインダ（ＥＶＦ）を備える撮像装置においては、ファインダ窓を介して画像確認を行う際、ユーザの眼とファインダ窓との距離が離れていると、ケラレが生じ、表示画像の全体を視認することができなくなる。
【０００３】
このため、従来はユーザの眼がファインダ窓から離れている場合に、ファインダ内において表示デバイスを移動させることによって視認可能な表示状態を実現する技術が知られている（例えば、特許文献１）。
【０００４】
【特許文献１】
特開平１０−２６７９７号公報
【０００５】
【発明が解決しようとする課題】
しかしながら、上記特許文献１の技術では、接眼レンズと表示デバイスとの距離を変化させることによってケラレを抑制するものであるため、移動機構を設ける必要があり、撮像装置が大型化するという問題がある。
【０００６】
そこで、本発明は、上記課題に鑑みてなされたものであって、ファインダ内部に特別な移動機構を設けることなく、ケラレを防止して、画像の良好な視認状態を実現する撮像装置を提供することを目的とする。
【０００７】
【課題を解決するための手段】
上記目的を達成するために、請求項１に記載の発明は、撮像装置であって、ファインダ窓の内側に設けられ、前記ファインダ窓を介して視認することの可能な電子画像を表示する画像表示手段と、前記画像表示手段における画像の縮小率を設定する縮小率設定手段と、前記縮小率に基づいて前記画像表示手段における表示倍率を制御する制御手段と、を備えて構成される。
【０００８】
請求項２に記載の発明は、請求項１に記載の撮像装置において、前記ファインダ窓を視認するユーザと前記ファインダ窓との距離を測定する測距手段をさらに備え、前記縮小率設定手段が、前記測距手段において測定される距離に応じて前記縮小率を決定することを特徴としている。
【０００９】
請求項３に記載の発明は、撮像装置であって、ファインダ窓の内側に設けられ、前記ファインダ窓を介して視認することの可能な電子画像を表示する画像表示手段と、前記ファインダ窓を覗くユーザの視線方向を検出する視線方向検出手段と、前記視線方向に基づいてユーザが視認している部分画像を抽出し、当該部分画像を前記画像表示手段の画面内においてトリミング表示させる制御手段と、を備えて構成される。
【００１０】
請求項４に記載の発明は、請求項３に記載の撮像装置において、前記制御手段が、前記画像表示手段において画面周縁部に位置する部分画像を画面中央部にトリミング表示させることを特徴としている。
【００１１】
請求項５に記載の発明は、請求項３又は４に記載の撮像装置において、前記ファインダ窓を視認するユーザと前記ファインダ窓との距離を測定する測距手段と、前記測距手段において測定される距離に応じて、前記画像表示手段における画像の縮小率を決定する縮小率設定手段と、をさらに備え、前記制御手段が、さらに、前記縮小率に基づいて前記画像表示手段における表示倍率を制御することを特徴としている。
【００１２】
【発明の実施の形態】
以下、本発明の実施の形態について図面を参照しつつ詳細に説明する。
【００１３】
図１は、本発明の実施の形態にかかる撮像装置１を背面側からみた斜視図である。撮像装置１の背面側左方上部には、撮影時等にユーザが接眼状態で被写体像等を視認するためのファインダ部２が設けられており、その下部にはユーザが非接眼状態で画像を視認することの可能な液晶ディスプレイ３（以下、背面ＬＣＤ３という。）が設けられる。ユーザが撮影操作を行う場合、背面ＬＣＤ３に表示される被写体像を視認しながら、シャッタボタン操作やフレーミング操作等の撮影操作を行うことが可能である。また、ファインダ部２に設けられるファインダ窓２０を覗くことによって被写体像の確認を行うことも可能である。
【００１４】
撮像装置１の前面側には、被写体からの光をカメラ内部に設けられる撮像素子１１（図２参照）に導くための撮影レンズ１０が設けられており、撮像素子１１にて光電変換して得られる画像をファインダ部２の内部に設けられる画像表示部２３（図２，３参照）及び背面ＬＣＤ３に対して表示することが可能なように構成されている。
【００１５】
また、撮像装置１の背面側右方には、撮像装置１に対してユーザが各種設定操作等を行うための操作部材４が複数箇所に設けられている。さらに、撮像装置１の側面には、メモリカード等の記録媒体９を装着するためのスロットが設けられており、そのスロットが蓋４１によって保護される構造となっている。
【００１６】
図２は、上記のような撮像装置１の内部構成を示すブロック図である。なお、図２において画像信号の流れは斜線を施した矢印によって示している。
【００１７】
撮像素子１１はＣＣＤイメージセンサ等によって構成され、複数の画素が２次元的に配列された構造を有し、各画素において光電変換を行って画像信号を出力する。これら画素信号は信号処理回路１２においてノイズ除去やゲイン調整が行われた後、Ａ／Ｄ変換が行われて、デジタル信号（画像データ）に変換される。そして画像データは画像処理部５に出力される。
【００１８】
画像処理部５はホワイトバランス（ＷＢ）補正部５１と画素補間処理部５２と解像度変換部５３とを備えて構成される。ＷＢ補正部５１は一般的なホワイトバランスを調整するための処理や画像の黒レベル補正を行う。画素補間処理部５２は全ての画素について色信号を補間するための補間処理を行う。さらに解像度変換部５３は、画像データの解像度の変換処理を行う。例えば、画像データを記録媒体９に記録する場合であって、記録時の解像度が定められている場合には記録解像度に一致するような解像度変換処理が行われる。また、画像データに基づいて、ファインダ部２の画像表示部２３や背面ＬＣＤ３に画像表示を行う際には、各表示デバイスの解像度に適合するような解像度変換処理が行われる。なお、画像処理部５において上記以外の画像処理が行われるように構成してもよい。
【００１９】
画像処理が施された画像データは記録媒体９又は画像メモリ６に出力される。例えば、ユーザによる撮影指示があった場合には、記録用の画像データを記録媒体９に出力し、撮影によって得られた画像の記録処理を行う。また、ユーザによる撮影指示が与えられる前の撮影待機状態においては、撮影操作をスムーズに行うことができるように、被写体に関するリアルタイムな画像データを表示用画像データとして画像メモリ６に逐次出力する。このため、撮影待機状態においては画像メモリ６に格納される画像データは一定時間毎に更新される。
【００２０】
表示処理部７は画像メモリ６に格納された画像データを、ファインダ部２の内部に設けられた画像表示部２３及び／又は背面ＬＣＤ３に対して出力するように構成され、各表示デバイスに対する表示制御を行う。
【００２１】
また表示処理部７は、画像表示部２３に対して画像表示を行う際に、ユーザがファインダ窓２０を視認する状況に応じてその表示画像の状態を制御する。表示処理部７は倍率変換部７１及びトリミング処理部７２として機能するように構成されており、倍率変換部７１はユーザの眼とファインダ窓２０との距離に応じて画像表示部２３に表示される画像の表示倍率（より具体的には縮小率）を変更し、トリミング処理部７２はファインダ窓２０を覗くユーザの視線方向に基づいて全体画像のうちでユーザが注視する部分の画像を視認しやすい状態にトリミングする。
【００２２】
このためファインダ部２には、小型液晶ディスプレイ等で構成される画像表示部２３の他に、ユーザの眼とファインダ窓との距離を測定する測距センサ２１、及び、ファインダ窓２０を覗くユーザの視線方向を検出する視線検知センサ２２が設けられる。
【００２３】
図３はファインダ部２の内部構成を示す概略図である。図３に示すように、ファインダ部２の内部所定位置に画像表示部２３が設けられており、画像表示部２３の前面側所定位置には、画像表示部２３に表示される画像をユーザの眼２１０に導くための接眼レンズ２０１が設けられ、ファインダ部２におけるファインダ窓２０を形成している。また、画像表示部２３と接眼レンズ２０１との間にはダイクロイックミラー２０２が設けられている。ダイクロイックミラー２０２は例えば可視光を透過し、赤外光を反射するように構成される。さらに、ファインダ窓２０の周辺部所定位置には、ユーザの眼２１０又はその周辺に赤外光を照射する光源２０３が配置されている。
【００２４】
光源２０３は測距センサ２１及び視線検知センサ２２の一部を構成するものであり、光源２０３から照射される光が眼２１０で反射する光のうち、接眼レンズ２０１に入射する赤外光はダイクロイックミラー２０２で反射し、視線検知センサ２２を構成する光電変換素子２０７に入射する。光電変換素子２０７はＣＣＤイメージセンサ等によって構成され、ユーザの眼２１０に関する情報（角膜反射像の位置情報等）を電気信号に変換して注視点検出回路２０８に与える。注視点検出回路２０８は、光電変換素子２０７から得られる情報に基づいて、ユーザの眼２１０が画像表示部２３のどの部分を注視しているかを示す座標位置を検出する。なお、この注視点検出回路２０８における具体的検出方法は、例えば特開平１０−２６７９７号公報に開示されるものを採用することができる。
【００２５】
また、ユーザの眼２１０で反射した光の一部は、測距センサ２１を構成するレンズ２０４に入射する。そしてレンズ２０４に入射する赤外光は、ポジションセンサ（ＰＳＤ）や複数に分割された受光面を有するフォトダイオード（ＰＤ）等の受光素子２０５に結像される。受光素子２０５は反射光が結像されている位置を示す電気信号を生成し、測距回路２０６に出力する。そして測距回路２０６は三角測距の原理を適用し、反射光の結像位置に基づいてユーザの眼２１０とファインダ窓２０との距離を算出する。
【００２６】
なお、測距センサ２１及び視線検知センサ２２のいずれにおいても光源は必要となるが、各センサにおいて必要な光源をそれぞれ別個に設けてもよいし、図３に示すように共通の光源として配置してもよい。
【００２７】
図２に戻り、測距センサ２１によって得られる距離情報及び視線検知センサ２２によって得られる注視点の座標位置は、制御部８に与えられる。
【００２８】
制御部８は撮像装置１における各部の動作を統括的に制御するものであって、ＣＰＵ及びメモリを備えて構成され、ＣＰＵが所定のプログラムを実行することによって種々の機能を実現する。これらの機能には、測距センサ２１及び視線検知センサ２２のいずれか一方若しくは双方を選択的に機能させる選択部８１、測距センサ２１から得られる距離情報に基づいて画像表示部２３に表示する画像の表示倍率を決定する倍率決定部８２、及び、視線検知センサ２２から得られる注視点座標位置に基づいてユーザが注視する画像部分を特定する注視部分特定部８３が含まれる。
【００２９】
選択部８１は、操作部４からの入力情報に基づき、測距センサ２１及び視線検知センサ２２のいずれか一方をユーザが選択した場合にはその選択されたセンサをオン状態とし、ユーザが双方を選択した場合には双方のセンサをオン状態とする。
【００３０】
測距センサ２１は選択部８１によってオン状態とされた場合に上述した測定動作を一定時間毎に繰り返し行い、倍率決定部８２に対して距離情報を逐次出力する。同様に、視線検知センサ２２は選択部８１によってオン状態とされた場合に上述した検知動作を一定時間毎に繰り返し行い、注視部分特定部８３に対して注視点座標位置を逐次出力する。
【００３１】
倍率決定部８２は、ユーザの眼２１０とファインダ窓２０との距離に応じてケラレが生じることのない表示倍率を決定する。
【００３２】
図４はファインダ部２においてケラレが生じる原因を示す図である。接眼レンズ２０１から焦点距離Ｆだけ離れた位置Ｅに眼がある場合に、見渡せる像高がＹ１であったとすると、
Ｙ１＝Ｆ・ｔａｎθ    …（１）
が成立する。また、接眼レンズ２０１の有効開口径がＲである場合、接眼レンズ２０１から距離Ｘ１だけ離れた位置Ｅ１からファインダ部２を覗くと、角度θ１以下の範囲が有効開口径Ｒの範囲内に入ることになる。このため、
ｔａｎθ１＝Ｒ／Ｘ１    …（２）
が成立する。同様に、接眼レンズ２０１から距離Ｘ２だけ離れた位置Ｅ２からファインダ部２を覗くと、角度θ２以下の範囲が有効開口径Ｒの範囲内に入ることになり、
ｔａｎθ２＝Ｒ／Ｘ２    …（３）
が成立する。
【００３３】
また、位置Ｅ１より見渡せる像高がＹ１であるとすると、
Ｙ１＝ｔａｎθ１・Ｆ    …（４）
が成立し、これに（２）式を代入すると、像高Ｙ１は、
Ｙ１＝（Ｒ／Ｘ１）・Ｆ    …（５）
として求められる。同様に、位置Ｅ２より見渡せる像高がＹ２であるとすると、
Ｙ２＝ｔａｎθ２・Ｆ    …（６）
が成立し、これに（３）式を代入すると、像高Ｙ２は、
Ｙ２＝（Ｒ／Ｘ２）・Ｆ    …（７）
として求められる。
【００３４】
つまり、ユーザの眼がファインダ窓２０から遠ざかるにつれて画像表示部２３に表示される画像の範囲（ファインダによる像高）が小さくなることとなり、画像表示部２３の全画面で画像表示を行っていたとしても、その周縁部分を視認することが困難になる。
【００３５】
図５は位置Ｅ１からファインダ窓２０を覗いた場合に視認可能な画像を示す図であり、図６は位置Ｅ２からファインダ窓２０を覗いた場合に視認可能な画像を示す図である。なお、これらの図で外枠は画像表示部２３の全表示画面の領域を示している。
【００３６】
図５に示すように、位置Ｅ１からは画像表示部２３の全画面が見渡せたとしても、それよりも離れた距離である位置Ｅ２からは図６のように斜線領域部分がケラレることとなり、その斜線領域部分が見えなくなる。そのため、ユーザがファインダ窓２０を視認する際の距離が遠くなれば画面全体での表示状態を視認することが困難になる。
【００３７】
そこで、倍率決定部８２はユーザとファインダ窓２０との距離が長くなるにつれてより小さな値の表示倍率を決定する。具体的には、ユーザとファインダ窓２０との距離が長くなるに従って表示画像の縮小率が漸次大きくなるように（表示倍率が小さくなるように）決定するのである。図７は倍率決定部８２において決定される距離と表示倍率との関係の一例を示す図である。同図に示すように、ユーザとファインダ窓２０との距離が所定値Ｄ１以下である場合には表示画像の倍率は１倍となる。そしてユーザとファインダ窓２０との距離が所定値Ｄ１より大きい場合には、距離が大きくなるに従って表示倍率は段階的に小さくなっていく。よって、表示倍率は１倍（等倍）以下の値となり、実質的に表示画像が縮小されることになる。
【００３８】
なお、距離と表示倍率との関係は、図７に示すものに限定されるものでなく、例えば距離がある閾値以下の場合には１倍（等倍）とし、それよりも大きい場合には一定の縮小率を設定するというように２段階設定でもよいし、また段階的設定でなく、無段階設定（表示倍率が連続的に変化すように設定）してもよい。また、上記（７）式からユーザが視認可能な像高Ｙ２を求め、この像高Ｙ２と全画面表示のサイズとの比を求める演算処理によって表示倍率を算出してもよい。
【００３９】
上記のようにして決定される表示倍率は表示処理部７の倍率変換部７１に与えられる。そして倍率変換部７１は、その表示倍率に基づいてファインダ部２において表示される画像の縮小処理を実行し、画像表示部２３に対して出力する。この結果、ユーザがファインダ窓２０からある程度離れた距離から画像を視認する場合、図８に示すような画像が表示されることとなる。すなわち、ケラレ現象の生じる画面周縁部には画像を表示せず、画面の中央部に縮小画像を表示するのである。これにより、ファインダ窓２０から離れた状態にあっても、ユーザは画像全体の状態を視認することができ、適切な撮影操作を行える。
【００４０】
次に、注視部分特定部８３はユーザが注視する位置が画面上のどの位置に対応するかを特定する。図９は注視部分特定部８３に予め設定されている画面領域の一例を示す図である。注視部分特定部８３は視線検知センサ２２から得られる座標位置を図９に示す画像平面（画面）上にプロットし、その点が複数の領域Ｒ１〜Ｒ９のうちのどの領域に存在するかを決定する。例えば、座標位置が画面上の領域Ｒ３に存在するとすれば、ユーザが注視する部分は表示画像の右上部分であることが判明する。以上のように、画像平面内でのユーザが注視する部分が特定されると、その情報は表示処理部７のトリミング処理部７２に与えられる。なお、図９の例では画面が９分割される場合を示したが、９分割に限定されるものではない。
【００４１】
トリミング処理部７２は画像平面におけるユーザの注視部分に基づいて、表示画像から注視領域を抽出し、その注視領域を画像表示部２３の画面中央部にトリミングして表示用画像データを生成し、画像表示部２３に出力する。例えば、ユーザが画面右上部を注視している場合、トリミング処理部７２は図１０に示すように表示画像の右上部分の所定領域Ｇ１を注視領域として抽出し、その画像部分を図１１に示すように画面中央部に配置する。
【００４２】
この結果、ユーザがファインダ窓２０を介して被写体像等の画像を視認する場合、図１１に示すように注視部分の画像が画面中央に表示されることとなる。よって、ユーザがファインダ窓２０から一定以上離れた状態で画像を視認する場合でも、ケラレ現象の生じる画面周縁部を視認しようとした際にその画像部分が良好な視認性を示す画面中央部に表示されるので、ユーザは画像全体の状態を把握することができ、適切な撮影操作を行える。
【００４３】
またこのような作用を示すために、トリミング処理部７２は、ユーザが画面の周縁部（例えば、図９の領域Ｒ１〜Ｒ４及びＲ６〜Ｒ９のいずれかの領域）を視認している場合に、トリミング処理を実行するように構成されればよい。
【００４４】
なお、図１１ではユーザが注視する画像部分を画面中央部にコピー配置する場合を例示しているが、図１２に示すようにユーザが注視する画像部分を切り取って、画面中央部に移動配置するように構成してもよい。図１２の場合には、ユーザが一見してどの部分が画面中央に配置されているかを把握できる。
【００４５】
ところで、画像表示部２３に表示される画像が、視線方向の画像部分が画面中央にトリミングされた画像に切り替えられると、通常、ユーザの視線は画面中央に向けられることになる。このとき、ユーザの注視点変更に伴って再び表示画像が切り替えられると良好に画像確認を行うことができなくなる。そこで、トリミング処理部７２は、ユーザの視線方向に基づいてトリミング処理を行った際には一定時間その表示状態を継続するように構成される。これにより、トリミングされた画像が表示されたことに伴って、ユーザが視線を画面中央に移しても、それによって表示画像が切り替えられることはなく、トリミングされた画像部分を容易に確認することができる。
【００４６】
以上のように構成された撮像装置１において、選択部８１により、測距センサ２１のみがオン状態とされている場合、視線検知センサ２２のみがオン状態とされている場合、及び、双方のセンサがオン状態とされている場合のそれぞれについての動作手順を説明する。
【００４７】
図１３は測距センサ２１のみがオン状態とされている測距モードでの動作手順を示すフローチャートである。撮影待機状態においては撮像素子１１において表示用の画像取得が継続的に行われる。そして撮像素子１１によって画像取得が行われると（ステップＳ１０）、画像処理部５において画像処理が施され（ステップＳ１１）、その後表示用の画像データが一時的に画像メモリ６に格納される（ステップＳ１２）。そして測距センサ２１により、ユーザとファインダ窓２０との距離が測定され（ステップＳ１３）、倍率決定部８２が距離情報を取得する（ステップＳ１４）。倍率決定部８２は距離情報に基づいて表示倍率（より具体的には画像の縮小率）を決定する（ステップＳ１５）。その後、表示処理部７において倍率変換部７１が画像メモリ６に格納された画像データを取得し、表示倍率に基づく画像縮小処理を行い（ステップＳ１６）、縮小処理の施された画像を画面中央部に配置した状態で画像表示部２３に出力する（ステップＳ１７）。これにより、ユーザがファインダ窓２０から離れた状態で画像を視認する場合には、図８のような縮小画像が画面中央に表示され、ケラレの影響を防止することができる。
【００４８】
次に、図１４は視線検知センサ２２のみがオン状態とされている視線検知モードでの動作手順を示すフローチャートである。撮像素子１１によって画像取得が行われると（ステップＳ２０）、画像処理部５において画像処理が施され（ステップＳ２１）、その後表示用の画像データが一時的に画像メモリ６に格納される（ステップＳ２２）。そして視線検知センサ２２により、ファインダ窓２０を覗くユーザがどの部分を注視しているかを検知し（ステップＳ２３）、注視部分特定部８３はその検知結果に基づいて画像平面におけるユーザの注視部分を特定する（ステップＳ２４）。その後、表示処理部７においてトリミング処理部７２が画像メモリ６に格納された画像データを取得し、ユーザが注視する画像部分を抽出して画面中央にトリミングする（ステップＳ２５）。そしてトリミング処理の施された画像が画像表示部２３に出力されて、画像表示される（ステップＳ２６）。これにより、ユーザがファインダ窓２０から離れた状態で画像を視認する場合でも、図１１若しくは図１２のような注視部分が画面中央に表示され、ケラレの影響を受けることなく、周縁部の画像状態を確認することができる。
【００４９】
次に、図１５は測距センサ２１及び視線検知センサ２２の双方のセンサがオン状態とされている同時処理モードでの動作手順を示すフローチャートである。撮像素子１１によって画像取得が行われると（ステップＳ３０）、画像処理部５において画像処理が施され（ステップＳ３１）、その後表示用の画像データが一時的に画像メモリ６に格納される（ステップＳ３２）。そして視線検知センサ２２により、ファインダ窓２０を覗くユーザがどの部分を注視しているかを検知し（ステップＳ３３）、注視部分特定部８３はその検知結果に基づいて画像平面におけるユーザの注視部分を特定する（ステップＳ３４）。その後、表示処理部７においてトリミング処理部７２が機能して、画像メモリ６に格納された画像データに対し、ユーザが注視する画像部分を抽出して画面中央にトリミングするトリミング処理が行われる（ステップＳ３５）。この結果得られる画像データは再び画像メモリ６に一時的に格納される。
【００５０】
そして測距センサ２１により、ユーザとファインダ窓２０との距離が測定され（ステップＳ３６）、倍率決定部８２が距離情報を取得する（ステップＳ３７）。倍率決定部８２は距離情報に基づいて表示倍率を決定する（ステップＳ３８）。その後、表示処理部７において倍率変換部７１が機能し、画像メモリ６に格納された画像データ（トリミング処理の施された画像データ）を取得し、表示倍率に基づく画像縮小処理を行い（ステップＳ３９）、縮小処理の施された画像を画面中央部に配置した状態で画像表示部２３に出力する（ステップＳ４０）。
【００５１】
このように同時処理モードでは、ユーザとファインダ窓２０との距離に応じてファインダ部２内部で表示される画像が縮小されるとともに、ユーザが画像のある部分を注視すると、その部分画像が画面中央の視認しやすい位置に表示されるので、画像全体の様子が把握しやすくなる。
【００５２】
なお、図１５のフローチャートでは、トリミング処理の後に画像縮小処理が行われる場合を例示したが、これに限定されるものではなく、上記とは逆の順序で処理が行われてもよい。
【００５３】
以上のように本実施形態における撮像装置１は、ファインダ窓２０の装置内側に画像表示部２３が設けられ、そこに表示される画像を、ファインダ窓２０を介して視認できるように構成されている。
【００５４】
そして、ファインダ窓２０を視認するユーザとファインダ窓２０との距離が測定され、その結果得られる距離に応じて画像表示部２３における表示画像の縮小率が決定されることにより、その縮小率に基づく縮小画像が表示される。このため、ファインダ内部に特別な移動機構を設けることなく、ケラレを防止して、画像全体の良好な視認状態を実現することができる。
【００５５】
なお、上記説明では、測距センサ２１によって測定されるユーザとファインダ窓２０との距離に応じて自動的に縮小率が決定される場合を例示したが、ユーザが操作部４０を操作することにより、縮小率を自動設定するようにしてもよい。この場合、倍率決定部８２は、操作部４からの入力情報に基づいて縮小率を決定することになる。そしてこの場合でも、ファインダ内部に特別な移動機構を設けることなく、ケラレを防止して、画像全体の良好な視認状態を実現することが可能である。
【００５６】
また、撮像装置１においては、視線検知センサ２２がファインダ窓２０を覗くユーザの視線方向を検知し、ユーザが視認している部分画像が画像表示部２３の画面中央にトリミング表示される。このため、ケラレの影響が生じない部分（すなわち画面中央）に、注視する画像が表示されるので、ファインダ内部に特別な移動機構を設けることなく、画像全体の良好な視認状態を実現することができる。
【００５７】
さらに、撮像装置１において、画像表示部２３に画像を表示する際に、ユーザとの距離に応じて縮小画像を生成するモード（測距モード）、ユーザの視線に応じて注視部分の画像をトリミング表示するモード（視線検知モード）、及び、両者を共に行うモード（同時処理モード）のいずれを行うかは、ユーザが選択設定できるようになっているので、ユーザの好みに応じた表示動作を行うことができる。
【００５８】
以上、本発明の実施の形態について説明したが、本発明は上記説明した内容のものに限定されるものではない。
【００５９】
例えば、上記説明においては、主に撮影待機状態での表示制御を例示したが、これに限定されるものではない。すなわち、記録媒体９に記録された画像をファインダ部２に再生表示する場合、記録媒体９に記録する直前であって撮影によって得られた画像をファインダ部２に確認表示する場合、及び、撮像装置１に関する各種設定画面をファインダ部２に表示する場合のいずれに対しても上述した表示制御を適用することが可能である。
【００６０】
なお、上述した説明には、以下の発明概念が含まれる。
【００６１】
（１）請求項２又は５に記載の撮像装置において、前記縮小率設定手段は、前記測距手段において測定される距離が長くなるに従って前記縮小率が漸次大きくなるように（表示倍率が小さくなるように）決定することを特徴とする撮像装置。
【００６２】
これにより、ユーザがどのような距離からファインダ窓を覗いたとしても、良好に画面全体を視認することができる。
【００６３】
【発明の効果】
以上説明したように、請求項１に記載の発明によれば、電子画像を表示する画像表示手段がファインダ窓の内側に設けられ、その画像表示手段において表示される画像の縮小率を変更可能なように構成されるので、ファインダ内に特別な移動機構を設けることなく、ケラレを防止することが可能になる。
【００６４】
請求項２に記載の発明によれば、測距手段によってファインダ窓を視認するユーザとファインダ窓との距離を測定し、それによって得られる距離に応じて縮小率が決定されるため、ユーザが離れていても表示画像の視認性が低下することを防止でき、画像の良好な視認状態を実現することができる。
【００６５】
請求項３に記載の発明によれば、電子画像を表示する画像表示手段がファインダ窓の内側に設けられ、ファインダ窓を覗くユーザの視線方向を検出し、その視線方向に基づいてユーザが視認している部分画像を抽出して画像表示手段の画面内にトリミング表示させるので、ユーザが注視する画像部分が良好な視認となるように表示することができる。
【００６６】
請求項４に記載の発明によれば、画像表示手段において画面周縁部に位置する部分画像を画面中央部にトリミング表示させるので、ケラレの影響が生じない部分（すなわち画面中央）に、注視する周縁部の画像を表示することができ、画像全体の良好な視認状態を実現することができる。
【００６７】
請求項５に記載の発明によれば、さらに、測距手段によってファインダ窓を視認するユーザとファインダ窓との距離を測定し、その距離に応じて決定される縮小率が適用された表示画像が表示されるため、ユーザが離れていても表示画像の視認性が低下することを防止でき、画像の良好な視認状態を実現することができる。
【図面の簡単な説明】
【図１】本発明の実施の形態にかかる撮像装置を背面側からみた斜視図である。
【図２】撮像装置の内部構成を示すブロック図である。
【図３】ファインダ部の概略構成を示す図である。
【図４】ファインダ部においてケラレが生じる原因を示す図である。
【図５】比較的近い位置からファインダ窓を覗いた場合に視認可能な画像を示す図である。
【図６】比較的遠い位置からファインダ窓を覗いた場合に視認可能な画像を示す図である。
【図７】距離と表示倍率との関係の一例を示す図である。
【図８】距離に応じた縮小画像が表示された場合を示す図である。
【図９】分割された画面領域の一例を示す図である。
【図１０】表示画像の右上部分にある注視領域を示す図である。
【図１１】注視領域を画面中央部に配置したトリミング画像を示す図である。
【図１２】図１１とは異なるトリミング画像を示す図である。
【図１３】測距モードでの動作手順を示すフローチャートである。
【図１４】視線検知モードでの動作手順を示すフローチャートである。
【図１５】同時処理モードでの動作手順を示すフローチャートである。
【符号の説明】
１  撮像装置
２  ファインダ部
４  操作部
７  表示処理部
８  制御部
２０  ファインダ窓
２１  測距センサ
２２  視線検知センサ
２３  画像表示部
７１  倍率変換部
７２  トリミング処理部
８１  選択部
８２  倍率決定部
８３  注視部分特定部
【図１】
2004215062.tif 000003
【図２】
2004215062.tif 000004
【図３】
2004215062.tif 000005
【図４】
2004215062.tif 000006
【図５】
2004215062.tif 000007
【図６】
2004215062.tif 000008
【図７】
2004215062.tif 000009
【図８】
2004215062.tif 000010
【図９】
2004215062.tif 000011
【図１０】
2004215062.tif 000012
【図１１】
2004215062.tif 000013
【図１２】
2004215062.tif 000014
【図１３】
2004215062.tif 000015
【図１４】
2004215062.tif 000016
【図１５】
2004215062.tif 000017